(57)【要約】【課題】安価な構成でフロントウインドウ写りを防止できる自動車用計器構造を提供する。【解決手段】文字板６には、光源手段９からの光の出射方向をフロントウインドパネル１以外の部位になるように規制可能なる透過光路規制部１２が設けられ、指針手段７は、透過光路規制部１２上に配されて透過光路規制部１２を透過する光源手段９からの光を遮光する遮光部と、遮光部の一部に所定の形状に形成されることで文字や目盛などを指示可能なると共に透過光路規制部１２を透過する光源手段９からの光を透過可能なる指示可能部とより構成されてなる。【選択図】　　　図１
2004012230.tif 000002
【特許請求の範囲】
【請求項１】
表面側に文字や目盛などが表示されてなると共に裏面側に配された光源手段よりの光を透過可能なる文字板と、該文字板上を移動して前記文字や目盛などを指示可能なる指針手段とより少なくとも構成されてなる自動車用計器構造であって、
前記文字板には、前記光源手段からの光の出射方向をフロントウインドパネル以外の部位になるように規制可能なる透過光路規制部が設けられ、
前記指針手段は、前記透過光路規制部上に配されて該透過光路規制部を透過する光源手段からの光を遮光する遮光部と、該遮光部の一部に所定の形状に形成されることで前記文字や目盛などを指示可能なると共に前記透過光路規制部を透過する光源手段からの光を透過可能なる指示可能部とより構成されてなることを特徴とする自動車用計器構造。
【請求項２】
請求項１に記載の自動車用計器構造であって、
前記指針手段は、前記文字板の回転中心位置を中心とした略円盤形状をなすことを特徴とする自動車用計器構造。
【請求項３】
請求項１又は請求項２に記載の自動車用計器構造であって、
前記文字板の文字や目盛など自体が、前記光源手段よりの光を透過可能なることを特徴とする自動車用計器構造。
【発明の詳細な説明】
【０００１】
【発明の属する技術分野】
この発明は、自動車用計器構造に関するものである。
【０００２】
【従来の技術】
かかる自動車用計器構造としては、例えば特開平１０−２２１１２２号公報で知られるような構造がある。
【０００３】
【発明が解決しようとする課題】
しかしながら、このような従来の自動車用計器構造は、文字板のみならず、指針手段にも遮光部を設け、前面カバーにも反射防止膜が施されるなど複雑な構成をしていて、原価が高騰してしまうおそれがある。
【０００４】
この発明は、このような従来の技術に着目してなされたものであり、安価な構成でフロントウインドウ写りを防止できる自動車用計器構造を提供する。
【０００５】
【課題を解決するための手段】
請求項１に記載の発明は、表面側に文字や目盛などが表示されてなると共に裏面側に配された光源手段よりの光を透過可能なる文字板と、該文字板上を移動して前記文字や目盛などを指示可能なる指針手段とより少なくとも構成されてなる自動車用計器構造であって、前記文字板には、前記光源手段からの光の出射方向をフロントウインドパネル以外の部位になるように規制可能なる透過光路規制部が設けられ、前記指針手段は、前記透過光路規制部上に配されて該透過光路規制部を透過する光源手段からの光を遮光する遮光部と、該遮光部の一部に所定の形状に形成されることで前記文字や目盛などを指示可能なると共に前記透過光路規制部を透過する光源手段からの光を透過可能なる指示可能部とより構成されてなる。
【０００６】
請求項１に記載の発明によれば、光源手段を点灯させると、指針手段がどこにあろうとも、透過光路規制部を透過した光のみが出射されるため、フロントウインドパネルへの写り込みを防止できる。出射される光の方向をフロントウインドパネル以外の部位にする透過光路規制部は、文字板に形成されてなるので、製造原価が安価となる。
【０００７】
請求項２に記載の発明は、前記指針手段は、前記文字板の回転中心位置を中心とした略円盤形状をなすものである。
【０００８】
請求項２に記載の発明によれば、指針手段が回転しても光源手段からの光を透過可能なる指示可能部以外の遮光部が目立たない。
【０００９】
請求項３に記載の発明は、前記文字板の文字や目盛など自体が、前記光源手段よりの光を透過可能なるものである。
【００１０】
請求項３に記載の発明によれば、文字板の文字や目盛など自体が発光することによって、文字板の文字や目盛などの視認性が向上する。
【００１１】
【発明の実施の形態】
以下、この発明の好適な実施形態を図に基づいて説明する。
【００１２】
図１乃至図３に示すように、自動車Ａは、フロントウインドパネル１などにより車外と区画形成されてなり、フロントウインドパネル１の下側に配されるインストルメントパネル２には、自動車用計器３が配されてなる。
【００１３】
前記自動車用計器３は、表面６ａ側に自動車の走行速度や、エンジンの回転数などの文字１０や該文字１０による目盛１１などが表示されてなると共に裏面６ｂ側に配された光源手段９よりの光を透過可能なる文字板６と、該文字板６上を移動して前記文字１０や目盛１１などを指示可能なる指針手段７と、表面５ａ側に反射防止膜４を有するフロントカバー５と、前記指針手段７を回転制御可能なる指針回転用モータ８とより少なくとも構成されてなる。「少なくとも構成されてなる」というのは、集中警報装置や、走行積算計などさまざまな機器を含めるものでも良いからである。前記文字板６の文字１０や目盛１１など自体は、前記光源手段９よりの光を透過可能なるように形成されている。
【００１４】
前記文字板６は、透光材料より形成されていて、表面６ａ側から裏面６ｂ側にかけて前記光源手段９からの光の出射方向をフロントウインドパネル１以外の部位になるように規制可能なる透過光路規制部１２が設けられてなる。文字板６の表面６ａ側には、不透過性塗装による遮光部１３が文字１０や目盛１１との間に施されている。符号１６は、文字板６の裏面６ｂ側に配された透明板である。
【００１５】
前記指針手段７は、前記文字板６の回転中心位置を中心６ｃとした略円盤形状をなすものであり、該透過光路規制部１２を透過する光源手段９からの光を遮光する遮光部１４と、該遮光部１４の一部に所定の形状、例えば針状に形成されることで前記文字１０や目盛１１などを指示可能なると共に前記透過光路規制部１２を透過する光源手段９からの光を透過可能なる指示可能部１５とより構成されてなる。
【００１６】
次に、前記した構成の本発明の実施形態の作用について説明する。
【００１７】
図示しないライティングスイッチをＯＮにすることで、光源手段９を点灯させると、指針手段７の指示可能部１５が図２に示す左下側にあろうとも、真上を向いていようとも、つまり、どこにあろうとも、透過光路規制部１２を透過した光のみが出射されるため、フロントウインドパネル１への写り込みを防止できる。出射される光の方向をフロントウインドパネル１以外の部位にする透過光路規制部１２は、文字板６に形成されてなるので、製造原価が安価となる。
【００１８】
また、前記指針手段７は、前記文字板６の回転中心位置を中心とした略円盤形状をなすものであるから、指針手段７が回転しても光源手段９からの光を透過可能なる指示可能部１５以外の遮光部１４が目立たないことになる。
【００１９】
また、前記文字板６の文字１０や目盛１１など自体が、前記光源手段９よりの光を透過可能なるものであるので、文字板６の文字１０や目盛１１など自体が発光することによって、文字板６の文字１０や目盛１１などの視認性が向上する。
【００２０】
図示しないライティングスイッチをＯＦＦにすることで、光源手段９を消灯させてなる昼間などは、指針手段７の指示可能部１５が所定の形をしているので、図２に示す左下側にあろうとも、真上を向いていようとも、つまり、どこにあろうとも、認識できる。
【図面の簡単な説明】
【図１】この発明の一実施形態に係る自動車用計器の断面図。
【図２】図１の正面図。
【図３】図２のＳＡ−ＳＡ線に沿った断面図。
【符号の説明】
１　フロントウインドパネル
２　インストルメントパネル
３　自動車用計器
６　文字板
６ａ　文字板の表面
６ｂ　文字板の裏面
７　指針手段
９　光源手段
１０　文字
１１　目盛
１２　透過光路規制部
１３　遮光部
１５　指示可能部
【図１】
2004012230.tif 000003
【図２】
2004012230.tif 000004
【図３】
2004012230.tif 000005